(57)【特許請求の範囲】
【請求項１】
無線基地局装置がサポートしている複数のサポート帯域幅のうち、当該サポート帯域幅以下の帯域幅を各無線端末装置の通信帯域としてマルチキャリア通信を行うスケーラブル帯域幅システムに用いられ、最大の前記サポート帯域幅で前記無線端末装置に向けたブロードキャストチャネルを送信する無線基地局装置であって、
前記最大のサポート帯域幅を持つ帯域内に割り当てられた、前記サポート帯域幅のうち最小の帯域幅を持つ帯域に、すべての前記無線端末装置に向けた共通情報のみを配置し、前記最大サポート帯域幅を持つ帯域内で前記共通情報が配置された帯域以外の帯域に、前記共通情報と異なる付加的な情報を配置したフレームを構成するフレーム構成手段と、
前記フレームを前記ブロードチャネルで送信する送信手段と、
を具備する無線基地局装置。
【請求項２】
前記付加的な情報は、パリティ情報である請求項１記載の無線基地局装置。
【発明の詳細な説明】
【技術分野】
【０００１】
本発明は、特に、無線基地局装置がサポートしている複数のサポート帯域幅のうち、当該サポート帯域幅以下の帯域幅を各無線端末装置の通信帯域としてマルチキャリア通信を行うスケーラブル帯域幅システムにおける無線基地局装置に関する。
【背景技術】
【０００２】
標準化団体３ＧＰＰでは、現在の第３世代携帯電話のさらなる改良システムの実現を目的として、３ＧＰＰ  ＲＡＮ  ＬＴＥ(Long Term Evolution)の検討が進められている。ＬＴＥでは、ＯＦＤＭ(Orthogonal Frequency Division Multiplexing)方式に代表されるマルチキャリア通信を行うにあたって、無線基地局装置（以下これを単に基地局と呼ぶ）が複数の帯域幅をサポートし、そのサポート帯域幅の中で、各無線端末装置（以下これを単に端末と呼ぶ）が実際に通信を行う帯域幅を柔軟に割当て可能とした無線通信システムが提案されている。このような無線通信システムを、スケーラブル帯域幅システムと呼ぶ。そして、ＬＴＥでは、サポートすべき帯域幅が、１．２５ＭＨｚ，２．５ＭＨｚ，５ＭＨｚ，１０ＭＨｚ，１５ＭＨｚ，２０ＭＨｚと規定されている。
【０００３】
また、現在ＬＴＥ標準化会議では、スケーラブル帯域幅を考慮した報知チャネル(Broadcast Channel; BCH)の送信方法が議論されており、ＢＣＨの帯域幅、周波数方向および時間方向の多重位置、送信ダイバーシチ方法などが提案されている。
【０００４】
非特許文献１には、１つのＢＣＨ構成が開示されている。具体的には、図１に示すように、ＢＣＨで送信される全情報が、複数の情報ブロックに分割され、その情報ブロックが時間／周波数方向に互い違いに配置されている。
【０００５】
このようにＢＣＨを送信することによって、狭帯域の端末（例えば、最小帯域幅の１．２５ＭＨｚしか受信できない端末）も、一定の時間をかけてＢＣＨを受信すれば、すべての報知情報を得ることができる。また、より広い帯域を受信できる端末（例えば、５ＭＨｚを受信できる端末）は多くのサブキャリアを復調できるので、すべての報知情報を早く受信することができる。
【非特許文献１】R1-060358 “Considerations on E-UTRA Cell Search and Initial Access”, Siemens
【発明の開示】
【発明が解決しようとする課題】
【０００６】
ところで、スケーラブル帯域幅システムにおいては、端末が受信可能な帯域幅が広くなるほど、ＢＣＨにて報知する必要がある報知情報のサイズが大きくなる可能性がある。すなわち、端末の受信できる帯域が広くなることで、付加的な情報を受信する必要が出てくる可能性がある。しかしながら、上記従来のＢＣＨでは、狭帯域の端末も広帯域の端末も、必要とする報知情報のサイズが同じであることを前提としており、帯域幅の異なる端末間で、必要とする報知情報の情報量が異なるケースを想定していない。したがって、上記従来のＢＣＨでは、広帯域端末にとって必要なサイズの報知情報を送信することができない。
【０００７】
本発明の目的は、受信帯域幅の異なる端末で必要とするＢＣＨの情報量が異なる場合にも、各端末が必要とするＢＣＨ情報を送信することができる、スケーラブル帯域幅システムにおける無線基地局装置を提供することである。
【課題を解決するための手段】
【０００８】
本発明の無線基地局装置は、無線基地局装置がサポートしている複数のサポート帯域幅のうち、当該サポート帯域幅以下の帯域幅を各無線端末装置の通信帯域としてマルチキャリア通信を行うスケーラブル帯域幅システムに用いられ、最大の前記サポート帯域幅で前記無線端末装置に向けたブロードキャストチャネルを送信する無線基地局装置であって、前記最大のサポート帯域幅を持つ帯域内に割り当てられた、前記サポート帯域幅のうち最小の帯域幅を持つ帯域に、すべての前記無線端末装置に向けた共通情報のみを配置し、前記最大サポート帯域幅を持つ帯域内で前記共通情報が配置された帯域以外の帯域に、前記共通情報と異なる付加的な情報を配置したフレームを構成するフレーム構成手段と、前記フレームを前記ブロードチャネルで送信する送信手段と、を具備する構成を採る。
【発明の効果】
【０００９】
本発明によれば、帯域幅の異なる端末で必要とするＢＣＨの情報量が異なる場合にも、各端末が必要とするＢＣＨ情報を送信することができる、スケーラブル帯域幅システムにおける無線基地局装置を提供することができる。
【発明を実施するための最良の形態】
【００１０】
以下、本発明の一実施の形態について図面を参照して詳細に説明する。
【００１１】
図２に、本実施の形態のスケーラブル帯域幅システムに用いられる無線基地局装置（以下、基地局と呼ぶ）の構成を示し、図３に、基地局１００から送信されるＢＣＨの構成例を示す。
【００１２】
基地局１００は、一般的なスケーラブル帯域幅システムの基地局と同様に、サポートしている複数のサポート帯域幅のうち、当該サポート帯域幅以下の帯域幅を各端末の通信帯域として、各端末との間でＯＦＤＭ通信を行うようになっている。
【００１３】
基地局１００は、誤り訂正符号化部１１０，１２０と、変調部１３０，１４０と、フレーム構成部１５０と、高速逆フーリエ変換（ＩＦＦＴ）部１６０と、ガードインターバル（ＧＩ）挿入部１７０と、ＲＦ送信部１８０とを有する。
【００１４】
誤り訂正符号化部１１０は、ブロードキャストチャネル（ＢＣＨ）で送られる、基地局１００の配下にあるすべての端末に向けた共通情報に誤り訂正処理を施し、これにより得た誤り訂正符号化後の共通情報を変調部１３０に送出する。変調部１３０は、誤り訂正符号化後の共通情報に対して、例えばＱＰＳＫ(Quadrature Phase Shift Keying)や１６ＱＡＭ(Quadrature Amplitude Modulation)等の変調処理を施し、これにより得た変調信号をフレーム構成部１５０に送出する。
【００１５】
誤り訂正符号化部１２０は、ＢＣＨで送られる、付加的な情報（図２では、ＢＣＨ追加情報）に誤り訂正処理を施し、これにより得た誤り訂正符号化後の前記付加的な情報を変調部１４０に送出する。変調部１４０は、誤り訂正符号化後の前記付加的な情報に対して、例えばＱＰＳＫ(Quadrature Phase Shift Keying)や１６ＱＡＭ(Quadrature Amplitude
Modulation)等の変調処理を施し、これにより得た変調信号をフレーム構成部１５０に送出する。ここで、付加的な情報とは、共通情報が端末の帯域幅に関わらずすべての端末に必要な情報であるのに対して、例えば、端末の受信できる帯域幅が広がるに従って必要と
なる情報である。
【００１６】
フレーム構成部１５０は、最大のサポート帯域幅を持つ帯域内に割り当てられた、サポート帯域幅のうち最小の帯域幅を持つ帯域に共通情報のみを配置し、最大サポート帯域幅を持つ帯域内で前記共通情報が配置された帯域以外の帯域に、付加的な情報を配置したフレームを構成する。
【００１７】
図３では、基地局１００のサポート帯域幅のうち最大のサポート帯域幅が５ＭＨｚであり、その５ＭＨｚの帯域内に割り当てられ、サポート帯域幅のうちで最小の帯域幅（１．２５ＭＨｚ）を持つ帯域には、共通情報（Ａ１〜Ａ３）が配置されている。また、５ＭＨｚの帯域内で共通情報が配置された帯域以外の帯域には、付加的な情報（Ｂ１〜Ｂ３，Ｃ１〜Ｃ３）が配置されている。なお、同図では、共通情報が配置される最小帯域幅を持つ帯域が最大のサポート帯域幅の中心に配置されている場合が示されているが、配置される位置は特に限定されるものではなく、例えば最大のサポート帯域幅の端である、最も周波数の低い帯域又は高い帯域に配置されてもよい。
【００１８】
詳細には、フレーム構成部１５０は、サブキャリアマッピング部１５２とフレーム形成部１５４とを有している。サブキャリアマッピング部１５２は、上述のようなフレームが構成されるように、変調後の共通情報および付加的な情報を適切なサブキャリアに配置したデータシンボルを形成しフレーム形成部１５４に送出する。フレーム形成部１５４は、サブキャリアマッピング部１５２からのデータシンボルに、パイロットチャネル、同期チャネルなどを付加することで送信フレームを形成する。
【００１９】
フレーム構成部１５０にて構成されたフレームは、ＩＦＦＴ部１６０によって処理され、続くＧＩ挿入部１７０によってガードインターバルが挿入され、ＲＦ送信部１８０によってディジタルアナログ変換処理や無線周波数へのアップコンバート処理等の所定の無線処理が施された後、アンテナから出力される。
【００２０】
端末におけるＢＣＨ受信は、その端末が受信可能な帯域幅によって動作が異なる。最小帯域幅しか受信できない端末は、最小帯域幅にマッピングされたＢＣＨの共通情報（図３中のＡ１，Ａ２，Ａ３）を既定時間（図３中の「BCH reading time」）だけ受信すれば必要な報知情報が得られる。より広帯域を受信できる端末は、ＢＣＨの付加的な情報（図３中のＢ１，Ｂ２，Ｂ３，Ｃ１，Ｃ２，Ｃ３）がマッピングされた帯域を含めて前記規定時間だけ受信すれば、付加的な情報を加えた大きいサイズの報知情報が得られる。
【００２１】
このように本実施の形態によれば、基地局１００に、基地局１００がサポートするサポート帯域幅のうち最大のサポート帯域幅を持つ帯域内に割り当てられた、前記サポート帯域幅のうち最小の帯域幅を持つ帯域に、すべての端末に向けた共通情報のみを配置し、前記最大サポート帯域幅を持つ帯域内で前記共通情報が配置された帯域以外の帯域に、前記共通情報と異なる付加的な情報を配置したフレームを構成するフレーム構成部１５０と、前記フレームをブロードチャネルで送信するＲＦ送信部１８０と、を設けた。
【００２２】
こうすることにより、帯域幅の異なる端末で必要とするＢＣＨの情報量が異なる場合にも、各端末が必要とするＢＣＨ情報を送信することができる。そして、すべての端末に向けた共通情報が最小のサポート帯域で送信され、付加的な情報が前記最小のサポート帯域から外れた帯域で送信されるため、最小のサポート帯域に相当する帯域幅の受信能力しかない端末は最小のサポート帯域を受信することで共通情報を取得でき、それ以上の受信能力を持つ端末は両帯域を受信することで共通情報の他に付加的な情報も受信することができ、端末の受信能力（受信できる帯域幅の大きさ）に応じた情報量を端末側に伝送することができる。
【００２３】
なお、上記付加的な情報を、共通情報を誤り訂正符号化するときのパリティ情報とすることもできる。この場合には、基地局１００の誤り訂正符号化部１２０は不要であり、誤り訂正符号化部１１０にて例えば共通情報が畳み込み符号化された符号化系列であるパリティ情報が変調部１４０に入力されることになる。
【００２４】
こうして、付加的な情報をパリティ情報とすることで、受信能力（受信できる帯域幅の大きさ）が大きい端末ほど誤り訂正能力が増し、共通情報を正しく受信できる可能性が高くなる。
【産業上の利用可能性】
【００２５】
本発明の無線基地局装置は、受信帯域幅の異なる端末で必要とするＢＣＨの情報量が異なる場合にも、各端末が必要とするＢＣＨ情報を送信することができる、スケーラブル帯域幅システムにおける無線基地局装置として有用である。
【図面の簡単な説明】
【００２６】
【図１】従来のブロードキャストチャネル（ＢＣＨ）の構成を示す図
【図２】本発明の一実施の形態に係る基地局の構成を示すブロック図
【図３】本発明の一実施の形態に係るＢＣＨ構成の説明に供する図
【図１】
0004763046.tif 000002
【図２】
0004763046.tif 000003
【図３】
0004763046.tif 000004